(57)【要約】      （修正有）【課題】現在人の手の大きさに合わせて、平均１８ｃｍ位で製造されている、歯ブラシを、幼児童（お年寄り）等が、口に喰わえた儘、誤って、前のめりに転倒する事故が発生した場合、歯ブラシは、幼児童の（全）体重を伴って、喉に突き刺さる事件、（事故）が報導されていた。「何とかならないか！」と考えた。課題が生じた。【解決手段】人が歯ブラシを喰えた儘、前のめりに転倒した際、本発明される、歯ブラシの節々に、センサー３８が付いており、危険加重が之れに掛かった際、歯ブラシは瞬間に、１／２、１／３に縮小させる時、携帯を便利にし、この持ち得る機能を補助させ、通気を良くし、付随する、歯磨１８、チューブ、（液）紙、爪、ポケット等の取り付け外しが出来、歯磨きを便利にさせる歯磨き道具を提供する。【選択図】図４
2015154910.tif 000002
【特許請求の範囲】
【請求項１】
本願発明される歯ブラシは、歯磨きを便利にするべく為、使用時には、全長１８ｃｍ位迄の直線（若しくは、人の歯型にフィットし易い曲線）形状に引き延ばして使用する事が出来る他、この歯ブラシでは、幼児童（若しくは、お年寄り）等が歯磨きしていて、走行している際、誤って、前のめりに転倒する、急激に起こり易い、不慮の事故が生じた際、本願発明品である、●「くの字式折り畳み型瞬間突き刺さり防止綱目型ポケット付歯ブラシ」（Ｔ．６５５号式安全歯ブラシ）では、急速に、くの字形に折り曲がるべく、歯ブラシの柄の中心部分に孔空を開け、この中に、ドラム状にして作る、転がり支点器を設置し、急変時には、この軸支点器を移動させ、緊急に折り曲がりが可能となる、●「くの字式折り畳み型瞬間突き刺さり防止センサー」（Ｔ．６５６号式歯ブラシ安全センサー）にある、ファジーショック感知センサーが発明され、本願発明歯ブラシでは、歯ブラシを折り曲げ切った所のブラシの反対方向の尻部にブラシの乾燥状態を良くする目的を持ち、綱目状にして造るブラシ収納ポケットを付ける、●「くの字式ブラシ歯ブラシパッチン取り付け外し、自在型、綱形ブラシ収納ポケット」（Ｔ．６５７号式ブラシ収納ポケット）が発明される他、ブラシポケットの反対側の背には歯磨きチューブを常設し、チューブを自在に出し入れする事の出来る、細菌防止用に為する、やはり、綱型で造り、パッチン式で取り付け外しが自在に出来る、●「歯磨チューブ収納器付き、パッチン取り付け外し自在綱型ポケット」（Ｔ．６６０号式チューブ入れポケット）を称し、発明される歯磨き道具。
【請求項２】
本願発明される歯ブラシは、歯磨きに使用時には、全長１８ｃｍ位に引き延ばして使用する事が出来る他、この歯ブラシでは、幼児童（若しくは、お年寄り）等が歯磨きをしていて、歩行している際、誤って、前のめりに転倒する、急激に起こり易い、不慮の事故が生じた際、本願、発明歯ブラシは、全長１８ｃｍ位の長さにある、原型を止め、本発明図、●「二段スライド式瞬間突き刺さり防止網目ブラシ収納ポケット付安全歯ブラシ」（Ｔ．６６２号式安全歯ブラシ）や、●「三段スライド式瞬間突き刺さり防止網目ブラシ、チューブ収納器付き安全歯ブラシ」（Ｔ．６６３号式安全歯ブラシ）に観られる様に、この歯ブラシは全長の１／２の９ｃｍ、若しくは１／３の６ｃｍ位の長さに迄急速に収縮を開始し始めて、幼児童（若しくは、お年寄り）等の喉の奥に突き刺さる事件、事故を未然に防止出来る事は、これが原因し、急激であり、必要以上の加重が口内に発生した場合、全長１８ｃｍ位で造られ、その節々に取り付けられている、ファジーショック感知センサー、●「スライド式瞬間突き刺さり防止センサー」（Ｔ．６５８号式歯ブラシ安全センサー）が急変難に起こる急加重（事故加重）を感知する際、急速縮少できる、本発明品となる、本歯ブラシの本体に対して他、歯磨き使用時には、「パッチン」で、歯ブラシに取り付け外しが自在に出来る網型（若しくは、孔空状の穴の開いた）ポケットに凹凸器を付ける、●（Ｔ．６５９式ブラシ、チューブポケット付安全歯ブラシ）等を称する。歯磨き道具の衛生を良くし、携帯を便利にし、歯磨き（危険）事故防止の出来、発明される歯磨き道具。
【請求項３】
本願発明される歯ブラシは、歯磨使用時には、全長１８ｃｍ位に迄、引き延ばして使用する事が出来る他、この歯ブラシ中では、幼児童（若しくは、お年寄り）等が歩行している際、誤って、前のめりに転倒する、急激に起こり易い、不慮の事故の事件が生じた際、本願発明●「歪曲形くの字式瞬間突き刺さり防止（鏡）歯垢取鉤爪付歯ブラシ」、（Ｔ．６６６号式歯ブラシ）や、●歪曲形くの字式瞬間突き刺さり防止、綱目型ブラシ収納付安全歯ブラシ（Ｔ．６６４号式安全歯ブラシ）●くの字式（歪曲形）ポケット鏡付）瞬間突き刺さり防止歯ブラシ（Ｔ．６６５号式安全歯ブラシ）では、急速に、くの字形に折り曲がるべく、歯ブラシの柄の中心部分に孔空を開け、この中に、ドラム状にして作る、転がり軸支点を設置し、急変時には、この軸支点器を移動させ、急速に折り曲がりが可能となるファジーショック感知センサーが、この歯ブラシにも用いられる発明が成され、この歯ブラシでは、歯ブラシの中心から反対側の一片を歪曲形に造られると、歯磨きの効率が良くなる発明が成される他、本願発明される歯ブラシでは、歯ブラシを折り曲げ切った所に、衛生を良くする為、網型、若しくは、孔空を多く開けた、●「くの字式歯ブラシ、パッチン取り付け外し自在型網形ブラシ収納ポケット、（Ｔ．６５７号式ブラシ収納ポケットや、●「くの字式差し込み取り付け外し自在型、網目ブラシ収納ポケット（Ｔ．６６７号式ブラシ収納ポケット）をする。ブラシ収納ポケットが発明される他、このブラシポケットの反対側の背には、歯磨きチューブを常設し、チューブを自在に出し入れする事の出来る、細菌防止用に為する、やはり、網型で作り、「パッチン式」で、取り付け外しが自在に出来る●「歯磨チューブ収納器付パッチン取り付け外し自在網目型ポケット」（Ｔ．６６０号チューブ入れポケット）を称する発明が成される他、更に、本願発明される、「歯ブラシ」の「ブラシ」部分の反対側の尻部分には、歯医者さんでよく用いられる様に、歯に硬くこびり付く、歯垢を掻き落す事が出来、出し入れ自在の鉤瓜や、それを合わせ鏡で覗き見る事の出来る、小さな鏡が取り付けられる●「歪曲形くの字式瞬間突き刺さり防止、（鏡）歯垢取り鉤爪付安全歯ブラシ」（Ｔ．６６６号式安全歯ブラシ）を称する、歯磨き道具の衛生を良くし、携帯を便利にし、歯磨き（危険）事故防止が出来る発明が成される、歯磨き道具。
【請求項５】
●「スライド式瞬間突き刺さり防止センサー付歯ブラシ」（Ｔ．６５８）に、凸器を設ける他、近年発明される、「液状歯磨液」入れ容器側に凹器を取り付ける発明が成される時、「Ｔ．６５８号式歯ブラシ」の携帯時には、凸凹器（能）機を用い、之れに、之を取り付けて置き、歯磨き使用時には、この様に具備された凹凸機能器から「Ｔ．６５８号式歯ブラシ」を取り外し、歯磨きが出来る様に為し、後更に発明される、「液状歯磨液」入れ容器の蓋部分の閉め切った所に、●「蓋網型ブラシ収納ポケット（Ｔ．６６８）を付け、本体部分には、●網型の「歯磨ティッシュ入れポケット」（Ｔ．６６９）を取り付ける。通気、携帯を良くし、歯磨き事故を防止し、歯磨きの使用と便利を良くする、歯磨道具。
【発明の詳細な説明】
【技術分野】
【０００１】  現在、平均して、１８ｃｍ位で、造られ続けている、本発明歯ブラシを幼児童（や、お年寄り）等が、口に喰えた儘、歩行しており、誤って前のめりに転倒する事があった場合や、その様に急激であり、必要以上の加重が口内に発生する際、本願発明（２０１４−０３３４０３号）にて、疎明される、これら、（今のプラスチック緻密加工枝術では充分出来る。）歯ブラシの節々に取り付けられている、ファジィーショックセンサーが、作動する様にして作られており、急速に縮少を開始する、喉への突き刺さりの危険を防止する事の出来る物となったが、この様に、反射的に、申縮する事が出来た、本発明品、歯ブラシは、歯磨き使用時には、約１８ｃｍ位で使用するが、歯磨きの使用時以外には、その機能を持ち合わせる儘に、半分の９ｃｍや、６ｃｍ位迄の大きさに、「くの字」若しくは、「スライド式」に縮少させる時、服のポケットや、カバン、バッグにも楽々入り、歯磨液入れ容器や、歯磨チューブも、本発明される、網状（若しくは、孔付）ポケットに之れをくっつけて、同時携帯させる事が出来る際、ガサ張らず、便利となり、歯ブラシ（道具）に付く、水分を、すぐに蒸発させる、中蒸れ現象を回避させ、歯ブラシに取り付く黴菌の繁殖を抑止する効果を持つものとなる他、本発明歯磨道具は、パーツに分解出来て、販売出来た。
【背景技術】
【０００２】  特願２０１４−１４０８９５号（指抜型歯磨道具）歯ブラシ整造技術、参照されたし。
【先行技術文献】
【０００３】  特願２０１２−１６０００３号、発明中、平成２５年３月２２日（第六補正書）請求項２の６行目から、全長１８ｃｍ位に作られている歯ブラシに、幼児童等がして、歯ブラシを口に喰えた儘・前のめりに転倒する事件（事故）が起こった際、新式歯ブラシは、９ｃｍ、若しくは、１／３の６ｃｍ位迄の長さに、急速に縮少できる歯ブラシの発明が展示。
【０００４】  同、特願２０１２−１６０００３号、発明中、平成２５年５月７日（第七補正書）請求項２の６行目から、新式の危険防止歯ブラシの発明、展示。
【０００５】  同、特願２０１２−１６０００３号、発明中、平成２５年５月２８日（第八補正書）請求項２の６行目から、新式の危険防止歯ブラシの発明、展示。
【０００６】  同、特願２０１２−１６０００３号、発明中、平成２５年７月１９日（第九補正書）請求項１の４行目から、「歪曲形歯ブラシ」と、これら歯ブラシは、幼児童等が、口に喰えた儘、前のめりに転倒する事故が起こった際、「くの字式」に折れ曲がる、発明品を展示。
【０００７】  同、特願２０１２−１６０００３号発明中、平成２５年７月２３日（第十補正書）請求項３の４行目から、この歯ブラシを喰える、幼児童が誤って前のめりに倒れる事故が発生した場合、ファジィーセンサーが働らき、急速に、「くの字型に折れ曲がる」事の出来るファジィーショック感知センサーの発明と、発明図が示される、喉への突き刺さり防止器となる、報告書の展示。
【発明の概要】
【発明が解決しようとする課題】
【０００８】  現在、日本国では、今から五年後には、四人に一人は老人となる、小子化老齢化する世界が到来する中で、筆者は、多くの老人を見て来ている際、それらは、現役を全て離れていて、既に可愛らしいコドモの様になっていた。
――話しは、本題に入る。――筆者のファーストキスは、１２才であり、マセていたものであったが、その後、学生時代は、普通の学生の様に頻繁にキスの経験はしたが、口の中は、常に清潔にしていなければならなかった。カバンの中には、常時、歯ブラシ、歯磨きチューブを入れて、持ち歩いていたが、ゴロゴロしていて、目方があり、長い物でもあり、携帯しにくく、邪馬なものでもあったが、常時、之れらを持ち歩き、一日七回は、歯を磨いていた。「口臭予防は、歯磨きを一日三度以上やっていれば良い。」と自負していたからであった。【０００９】  しかし併、本発明品で、更に重要なのは、近年、幼児童（お年寄りを含む）等が、歯ブラシを食えた儘、歩行していた時、誤って、前のめりに、（全）体重を伴って、倒れた場合、歯ブラシは、凶器になるとも思えない物であっても、喉の奥に突きささり、甚しい時には、脳に達っする程迄の重症事故（事件）例の多くが報導されており、社会
2015154910.tif 000003
【課題を解決する為の手段】
【００１０】  そもそも歯磨き、歯ブラシとは、口の中と歯を掃除する、衛生用品であり、常に清潔な状態にしていなければならない物（乾燥の必要と解釈される。）であり併、現代の技術で造られている歯ブラシは、どれも平均して、１８ｃｍ位の手の平サイズに作られていて、ポケット、バッグ、カバンに入れて、持ち運ぶには、長過ぎて目障りであり、「歯磨きチューブ」を同時に携帯するのにも、不便さが生じていたが、特に、筆者の旧式発明失敗作品（特願２０１２−１６０００３号）で、展示される、「スライド式歯磨きチューブ付歯ブラシ」（Ｔ．６５３）や、「くの字式歯磨チューブ付歯ブラシ」（Ｔ．６５４）に見られる、発明品では、歯磨きをする際、必ず水を使う為に、いつしか、付帯付属する、歯ブラシのポケットの内側が密閉状態となり、乾燥しづらく、湿潤する為、黴菌が集り易く、不衛生になる際には、之れを反省して、全文を書き改めるべく、
【００１１】  本願発明図に観られ、歯ブラシ本体に附属して、取り付けられる、ポケットの全て、通気性を良くする為、網（孔）状にして、
2015154910.tif 000004
「歯ブラシ本体」を軽くも、重くも出来、スリムにも出来る所となり、
【００１２】  幼児童（お年寄り）等が、本願発明ブラシを口に喰える儘に歩行し、誤って、前のめりに、（全）体重を伴って、転倒する場合があっても、本願発明歯ブラシの節々に取り付けられている、ファジィーショックセンサー（Ｔ．６５６号式ハブラシ安全センサー）（Ｔ．６５８号式ハブラシ安全センサー）が作動を開始する、
歯ブラシ本体に、必要以上の加重が加わる時、（Ｔ．６５５号式安全歯ブラシ）（Ｔ．６６２号式安全歯ブラシ）（Ｔ．６６３号式安全歯ブラシ）（Ｔ．６６４号式安全歯ブラシ）（Ｔ．６６５号式安全歯ブラシ）（Ｔ．６６６号式安全歯ブラシ）等の発明品に見られる様に、本願発明歯ブラシは、「くの字形」や、「二段式」、「三段式」に見られる、スライド式に、瞬時の内に、１／２、１／３の長さに縮少を開始する所となるので、幼児童等の歩行時に誤って転倒する、喉への突き刺さり事故（事件）を回避する事が出来るものとなった。
【発明の効果】
【００１３】  本願発明品の前身であり、本発明の失敗作品となった前例、（２０１２−１６０００３号）発明品では、歯ブラシは、常に乾燥させておかなければならない物である筈べく所、之れらが、湿潤し、一定の温度を保ち易くなる様に、密閑式の取り外しの出来ない様にし、水分の蒸発しにくい、ポケットや蓋を歯ブラシ本体に取り付け、之れ等をやたら重くする事は、「細菌学」を学んだ人々には、すぐに分る所となる、「細菌」というものは、甚だ脆いものであり、栄養のある、一定の湿潤する、湿度と（最）適温度の中でしか生存できず、特に、（新代科学提唱）乾燥（中性子、ニュートロン）に弱く、水（水分）は、太陽電磁線に当たると、原子量の少い、酸素と水素原子に分裂して、分解する際、乾燥に強い胞子を残して死滅するものであったが、
【００１４】  しかし併、栄養のある、一定の湿潤する湿度と（最）適温度に適合すると、日数をかけずに、天文学的数値で増殖する程の驚きを見せる際には、人動物（生物）体内では、有益細菌（善玉菌）は３６℃〜３６．９℃を（最）適温の中で、共存、共生しているものとなった。――――考証論理では、古代エジプト考古学による、人間のミイラー造りは、３６℃を下回わらない、３７℃以上、４０℃〜４２℃を限界とする、通気性の良い日影で造ると、人体は、腐敗せず、人間の生前の原形を留めた素形に造る事が出来た。
【００１５】  それ故、本願発明、歯ブラシ本体に取り付けて、合体（携帯）を便利にする、歯ブラシに付随して、不属する歯ブラシポケットの全ては、「細菌学」を考慮して、全て網目（孔開）状にして作った場合には、乾燥がスムーズとなり、歯磨きをする、場所を、必要、不要を選んで、歯ブラシ本体や、「歯磨き液入れ容器」に、「歯ブラシポケット」や、「歯磨き道具入れポケット」を「スライド式」や、「パッチン式」で取り付け外しが自由自在となり、
【００１６】  「歯ブラシ」を喰えた儘、不慮の事故に遭った時でさへ、本願発明の歯ブラシは、瞬時にして、１／２、１／３の長さに迄縮少する、幼児童（お年寄）等の喉への突き刺さり事件（事故）防止出来る物となり、その様に縮少させた儘携帯する事も便利となる効果があった。
【図面の簡単な説明】
【００１７】
【図１】  幼児童（他お年寄りを含む）等が、歯ブラシを口に喰えた儘、誤って、前のめりに転倒する事件（事故）が発生した際、歯ブラシの（それぞれの、）節々に、本願発明されて、設置される、歯ブラシ突き刺さり防止（ファジィー）安全センサーに必要以上の加重が、かかった際には、この歯ブラシ（本体）は、くの字形、若しくは、二段、三段、スライド式に急速に収縮を開始し、幼児童の喉への突き刺さり防止される、危険防止器となる発明が成される他、この様に、
【００１８】くの字式歯ブラシや、スライド式歯ブラシの収縮し切った所に、細菌付着防止に役立つブラシや歯磨チューブ格納できて、ブラシや、チューブ等の（本発明発見される、中性電磁線、ニュートロンによる、水を酸素と水素分解する即乾性）乾燥を伺がす事の出来る、綱型穴や、孔開き状態を多く持つ（パッチン式で取り付け外しが出来る）網、孔開きポケットが発明された図となり、
●（Ｔ．６５５号式安全歯ブラシ）●（Ｔ．６５６式歯ブラシ安全センサー）
●（Ｔ．６５７号式ブラシ収納ポケット）●（Ｔ．６６２号式安全歯ブラシ）
●（Ｔ．６６１号式ブラシ、チューブ収納ポケット）
●（Ｔ．６６３号式安全歯ブラシ）等を指し示す図となった。【００１９】
【図２】  本願歯ブラシの全ては、網形（孔空き）状態で造られるブラシポケットの他、「パッチン式」で、取り付け外しが出来る、「くの字型式」歯磨チューブ入れポケットが設計されて造られている為、細菌（歯周病菌）発生妨止に役に立ち、この歯磨き使用時には、（パッチン式で、）チューブごと取り外して、歯ブラシを真っ直にして用いる事が出来る為、歯ブラシを握った時の手の内に感じる異和感と、附属、附帯する、歯磨きチューブの重量が、口内に掛からない事の効果が生じる事が出来、更に、歯ブラシを歪曲形に造った際には、歯磨きの効率が良くなる事が発見、発明される事、
【００２０】  本願発明、「くの字式、折れ曲がり歯ブラシ」の中心部の全てには、必要以上の（危険）加重がかかる際には、瞬間に、「くの字型に折り曲がる事が出来る」ファジィーショック感知安全センサーが取り付けられているので、その様に折れ曲る事が出来、【００２１】  ブラシの反対側、他端には、カゴポケットの他、歯医者さんで、良く使われる合わせ鏡にして、普通には、絶対に見る事の出来なかった、歯の裏側の状態を見る事が出来る様にする、小さな鏡が取り付けられる発明が成される他、ガンコに歯の内にコビリ付いていて、固くなった歯垢を引掻き取る事の出来る、申縮自在の硬質性プラスチックで作る、鉤爪をも取り付けられる発明が成されている事を示す図となり、
●〔Ｔ．６６５号式安全歯ブラシ〕●〔Ｔ．６５９号式ブラシ、チューブ付安全歯ブラシ〕●〔Ｔ．６６６号式安全歯ブラシ〕  等を示す図となった。【００２２】
【図３】  本願発明品の前身であり、本発明、駄作失敗作品となり、前例（２０１２−１６０００３号）発明品となる、図面例の多くが示される、「使い捨てコンパクト歯ブラシ」（Ｔ．６５２号式歯ブラシ）「使い捨てコンパクト歯ブラシ」（Ｔ．６５２号式歯ブラシ）「スライド式歯磨きチューブ付歯ブラシ」（Ｔ．６５３号式歯ブラシ）「くの字式歯磨きチューブ付歯ブラシ」（Ｔ．６５４号式歯ブラシ）等は、―――本願発明品とは、直接関係の無い、副因図を示した物となる物であったが、これらの歯ブラシをこの図面の通りにして作ると、「歯ブラシ」は、常に乾燥させておかなければならぬ物であり併も、水を使い歯磨きする、ブラシに対して、密閉式となり、取り外しが出来ずに、埃や水分の溜り易い蓋やポケットを之れに取り着けて使用した場合には、一定の湿潤と、一定の温度がブラシに取り付けられたポケット内に溜る際には、細菌発生の温床になる物となり、歯ブラシをやたら重くし、不格好ともなる失敗作であったが、参考図となるので、本図３で、それらの欠点が示される物として、展示し、これに際して、新規と進歩性を附加させるべく、本願（特願２０１４−０３３４０３号をして、）（Ｔ．６５９号式ブラシ、チューブポケット付安全歯ブラシ）も、同３図面に掲載された。
【００２３】
【図４】  本願発明品の前身であり、本発明、駄作失敗作品となり、前例（２０１２−１６０００３号）発明品となる、図面例の多くが前半分、図面にて示される、「くの字式歯磨きチューブ付歯ブラシ」（Ｔ．６５４号式歯ブラシ）―――本願発明品とは、直接関係の無い、副因図に示した物となる物であったが、これらの歯ブラシをこの図面の通りにして作ると、歯ブラシは、常に乾燥させておかなければならぬ物であり併も、水を使い歯磨きする、ブラシに対して、密閉式となり、取り外しが出来ずに、埃や水分の溜り易い蓋やポケットを之に取り着けて使用した場合には、一定の湿潤と、一定の温度が、ブラシに取り付けられたポケット内に溜る際には、細菌発生の温床になる物となり、歯ブラシをやたら重くし、不格好ともなる失敗作であったが、参考図となるので、本図４で、それらの欠点が示される物として、展示し、これに際して、新規と進歩性を附加させるべく本願（特願２０１４−０３３４０３号をして、）（Ｔ．６６４号式安全歯ブラシ）も、同４図面後半部に掲載された。
【００２４】
【図５】  ●「スライド式瞬間突き刺さり防止センサー付歯ブラシ」（Ｔ．６５８）の内側に、凸器を設ける他、近年発明される、「液状歯磨液」入れ容器側に凹器（能）機を取り付ける発明が成される時、「Ｔ．６５８号式歯ブラシ」の携帯時には、凸凹器能機を用い、之れに、之れを取り付て置き、歯磨使用時には、この様に具備された凹凸機能器から、「Ｔ．６５８号式歯ブラシ」を取り外し、歯磨きが出来る様に為し、後更に発明される、「液状歯磨液」入れ容器の蓋部分の閉め切った所に、●「蓋網型ブラシ収納ポケット」（Ｔ．６６８）を付け、本体部分には、網型の「歯磨ティッシュ入れポケット」（Ｔ．６６９）を取り付ける発明が成される、歯磨き事故を防止し、歯磨きの使用と便利を良くする歯磨道具図。
【発明を実施する為の形態】
【００２５】  現在、手の平サイズの１８ｃｍ位の長さで統一されて造られている、歯ブラシにあっては、不慮の事故（幼児童等が歯ブラシ等を口に喰えた儘、誤って、前のめりに転倒する事故）が発生した場合、本願歯ブラシに必要以上の加重が掛かった場合、本願発明される、歯ブラシの節々に取り付けられている、ファジィーショックセンサーが、「スライド式」若しくは、「くの字式」に、危険を感知し、（幼児童等の）喉に、之れが突き刺さる前に、瞬時にして、歯ブラシは、１／２、１／３の長さに迄、縮少を開始出来る物として造られ、
【００２６】  この様に、急速にして、１／２、１／３に申縮できる歯ブラシは、縮少している際には、驚く程に小さくなるものとなり、その儘ポケットやバッグ、カバンの中に入れて持ち運び出来る他、之の本願発明される歯ブラシ本体には、全て、取り付け外しの自在となる、通気性を良くする、細菌発生防止用、網目状型に造られる、パッチン式で、ブラシ、チューブを出し入れ出来るポケットが、附帯、附随される際には、（Ｔ．６５５号式安全歯ブラシ）（Ｔ．６６０号式チューブ入れ容器）（歯磨チューブ）（Ｔ．６６３号式安全歯ブラシ）（Ｔ．６６１号式ブラシポケット）をする５種類のパーツ（部品）に、分類分解して、販売する事が出来、之をして、歯ブラシ本体を歪曲型にして作ると、人の口に湾曲形にフィットし易く、歯磨きの効率が良くなる事が示される事と共に、歯ブラシの柄の反対する方向に、歯医者さんが使用する、合せ鏡を用いて、使用する事の出来る、小さな鏡（硬質プラスチックで作る）鉤形の爪が取り付けられた。
【実施例】
【００２７】  現代科学迄には、未だ解明されてはいなかった、四次元公式をアインシュタインの相対性理論、Ｅ２＝ｎをして、筆者の万有爆力の法則、Ｘ＋Ｙ＝Ｚに、その解読を求める、本願発明論説では、良い例となる所に於いて、之れが説明される、Ｅは、エネルギー（若しくは、エレメント、要素）ｎは無限数。Ｐａはパスカル（１平方メートル、１ニュートン圧力。性格質量）Ｎは、ニュートン（１メートル、１秒加速度）⇒は即ち。とする、Ｘは、時間。Ｙは空間（若しくは、距離）Ｚは、形態。ｈは高さ。秒は、ｓｅｃとする時、幼児童等が７ｇの歯ブラシを２秒間、喰えた時には、（反射力となる）７ｇの顎筋力（衝撃力）と
2015154910.tif 000005
様に増え続ける顎筋力（重力）は、いつしか、幼児童等の頭部全体の重力に、すり替わっており、――この様に人の頭部は、物を喰えただけで（無意識の内に）重くし続ける、立証実験は、マウスピース顎筋力計測器でも測量出来る他、立証論理では、意識せず、（タバコ若しくは）７ｇの歯ブラシを、秒間づつ噛み締め続けると、顎筋力は、時間の経過と伴に、重度に固く噛み締められてゆくものである事に気が付く時、――運動会等で、パン喰い競争をやった事のある人々では、成人男性でもパンを喰えて、走行する際には、僅か、１０ｇのパンでも１秒間づつ経つ時間に対して、重力の重い、内的質量に変換して来ており、走行中に、前頭部から、バランスを崩して、頭部の重量が秒間数を経て支え切れなくなる時、前のめにり、倒れ続ける、競技者を、良く見かける程、迄に、このパン喰い競走とは、大変危険な、競技である事が説明される際、幼児等が、これを口に喰えた儘に、何秒間も歩行する際には、実質的には頭デッカチになった者の様に、誤って前のめりに（全）体重を伴って転倒し易い物である事が科学的に証明されるものとなった。【００２８】
2015154910.tif 000006
居ない時、歯ブラシを喰えた儘、歩行しており、誤って、前のめりに倒れ込み、歯ブラシが喉の奥に突き付けられて、
2015154910.tif 000007
して思い出していた。それ故、本発明品は、実際に使用する時には、１８ｃｍ位であり、携帯する時の他、不慮の事故が起こり、歯ブラシに無理な力が加わると、緊急時には、瞬時にして、９ｃｍから６ｃｍ位に迄、小さく縮少するので、事故防止になる他、歯ブラシ本体に取り付けられる附属品のポケットは、網（若しくは、孔開き）状態にして作られているので、通気性が良く、歯ブラシポケット他、ポケットは、すぐに乾燥するものとなるので、これを見た人々は、その安全性と清潔性に驚くものとなる他、カバン、バッグは疎か、服のポケットにも楽々入り、歯ブラシと歯磨チューブは、取り付け外しが自在となるので、持ち運び、形態にも不便さを感じづらい物となった。
【産業上の利用可能性】
【００２９】  現在、普通に販売され、人々に使用されている歯ブラシの設計は、平均して人間の手の大きさと、口内の大きさに合わせて、大概１８ｃｍ位の大きさで造られているものであった際に起こる小義な弊害では、消費者が之れを携帯するのには、ポケットに入れにくく、ガサ張って、バラバラになり、バッグやカバンに入れても、常設、常備しにくい物であったが、本発明品では、これを大義に解釈した場合、幼児童（お年寄りを含む）等が歯ブラシを喰えた儘歩行する際、誤って前のめりに倒れる（ファジィーショック）が（多発）発生した場合、通常１８ｃｍ位の長さで造られている歯ブラシは、瞬間的に１／２、１／３迄に、くの字式、若しくは、スライド式に急速縮少を間始し、幼児童（お年寄）等の喉に突き刺さる事故を防ぐ事の出来る他、歯ブラシ本体には、通気性があり、取り付け外しが自在となる附属品が合体しているので、特に、１／３の６ｃｍ位迄、縮少出来る、本願発明品は、ポケット、バッグに入れていてもガサ張りづらく、携帯し易く、安全性がある為に、之れを見る消費者の消費意欲を駆り立てる物となる事を歯ブラシを製作する、産業界が之れを理解した場合、（全世界）コンビニ、スーパー、デパート、ホームセンター等の、大型、小売店舗でも、必ず売られ続ける、防災グッズになる物となった。
【符号の説明】
【００３０】１．本願発明、「くの字式折り畳み型瞬間突き刺さり防止網目型歯ブラシ（Ｔ．６５５号式安全歯ブラシ）以後、「Ｔ．６５５式安全歯ブラシ」と言って、短縮して、呼ばれる、この歯ブラシを全長１８ｃｍ位の長さで造り、歯磨きに使用すべき時、２．逆ｕの字型で造られる取っ手部分を引っ張り出して、引き出しにし、３．直線にする完全に引き延ばした立体図の全体を示す図となるが、４．本願発明「Ｔ．６５５号歯ブラシ」品の之を幼児童（やお年り）等が口に喰えた儘、誤って、前のめりに倒れる事故（事件）が発生した際、本発明される、「くの字式折り畳み型瞬間突き刺さり防止センサー」（Ｔ．６５６号式歯ブラシ安全センサー）以後、このセンサーを「Ｔ．６５６号式歯ブラシ安全センサー」と短縮して呼ばれる。が、５．幼児童（お年寄りを含む）等が、本願発明、（Ｔ．６５５号式安全歯ブラシ）を口に喰えた儘誤って前のめりに倒れる事故（事件が発生した際、本願発明される、「くの字式折り畳み型瞬間突き刺さり防止センサー（Ｔ．６５６号式歯ブラシ安全センサー）以後、之を（Ｔ．６５６号式歯ブラシ安全センサー」と、短縮して呼ばれる、之れが作動し、本願発明品（Ｔ．６５５号歯ブラシ）の中心部に開けられた、正面図では、目玉型に見えるが、６．立体図に示すと、ドラム形となり、之転がり形ドラムセンサーに無理な（ファジーショック）力が加わると、ドラムが容易に転って移動し、７．他端に外じき飛ばされる際、本願発明品（Ｔ．６５５号式安全歯ブラシ）は、通常、普通に見られる、全長１８ｃｍ位の直線型態の歯ブラシの形をすぐに止め、８．真ん中で「くの字形」に折れ曲がり、畳み込まれ、全長１８ｃｍの半分の９ｃｍ位迄の長さに、瞬時に縮少する際、幼児童（他、お年寄り）等の喉の奥に突き刺さる危険が回避される事を示した図となる他、９．現代の歯ブラシは、昔と違い、品質が良くなり、１回購入すると、三ヶ月以上は、楽に使用出来る物も多くなる中、歯ブラシの根元には、どんなに奇麗に洗っても、歯磨きが毎日続けられ、使用されている限りの間に、歯磨粉は垢
2015154910.tif 000008
知らぬ内にある際、筆者は、過去に、『細菌学」を研究した事がある、その「細菌学」の簡単な論理を宜べると、『細菌（バクテリア）とは、菌類に属する、活物培養する徴生物の総称の事であり、乾燥に大変弱く、水分が無くなる、乾燥地帯では、すぐに死滅してしまう、大変脆いものとなるが、そのかわり、その死骸には、乾燥にメッキリ強い胞子を数多く残して、再度そこが、湿潤して来る迄を待ち、湿潤して来ると孵化し、勢力を盛り返し、倍増してゆくものである。』と簡単な説明が成される必要があった。それは、
筆者は、免許（資格）マニアが嵩じて、「調理師」の免許を採る為に、調理現場にいた事があり、一日中、種々な食材を魚板の上でカットし続ける事、傷だらけになった、魚板を水洗いをし、終日、最後の時間に、洗済で水洗いをし、窓を少し開けた、風通しの良い場所に立てかけて置くと、魚板は、朝迄に乾燥し続ける所となる  この魚板は、毎日この様に同じ作業をし続け、１５年以上も、この様に使い続けていても、食中毒者を出したためしは無かった。――どこの家庭でも同じ様にされる、「細菌学論理」の立証説明となった。
例えは、善玉菌と悪玉菌で続けられる所、人間の体温は、自律神経で３６℃から３６．９℃内で体温調整が成される、人間体内（特に腸内）に取り着く、悪玉菌を殺して、善玉菌を養うのに丁度良い体温となる際、人体を害する悪玉菌が之れに取り着いた場合、多量の水分補給を必要とし、発熱、発汗作用を得る、下痢を伴い、体温を３７℃から４２℃を限界とする迄体温を上昇させる事は、悪玉菌、善玉菌ともに、極端例として、高温度（４０℃）の状態で死滅し続ける、脆いものとなる、立証説明となるが、――説話を冬期にする、人体、体温が、（自律神経失調症等で）３５．９℃以下になる、３６℃以下に体温が下がる（低体温症）を含む）、頃を見計らい、呼吸する、気管支に（一般に呼ばれる）、感冒菌及び乾燥に強い、その胞子が取り付き始めると、警告音として、くしゃみを一回から二回発射させる事で、自律神経を刺激させ、背柱に悪寒を走らせ、涙、鼻水を出させ、３７℃以上の体温の発熱を促がさせる所となるが、それでも（薄着等が原因する）自律神経が、３６℃以上の体温を維持させる事が出来ないでいる時間が長く続いている間には、人の肺や気管支内に付着する、乾燥や熱に強く出来ている、悪玉菌（感冒菌や結核菌等の悪質菌）胞子は、孵化し、そこで異常繁殖しだした場合、くしゃみも三回以上、連続して出る警告音となり、痰、咳、涙、鼻水、鼻詰まり（例外、水耳もある）感冒症候群、他、定理が示される際、人体に有害する、これら悪玉菌の胞子は、平均４０℃以上の乾燥や熱に対しても強く造られてはいるものの、人の体温が平均して、３６℃を下回わる頃合いを見計い、猛繁殖する性質がある事が発見される事は、（立証実験一例において、カレーのルーに孵子として付着し易い、これら悪玉菌をしてカレーの煮込みが足らず終いとなり、カレーの自然冷却をさせてはいけない事の理由として、之が低温になる、３６℃を下回わる頃合いを見計って、主として、ボツリヌス菌等が異常繁殖し、吐き出される毒素により、カレーは食品ではなく、毒食品となった。
筆者によって、「現代科学」では、今迄には無かった、新しく開発され、切り開かれてゆく、科学分野の一セクションを、「新代科学」と呼称される時、この新代科学が、本願発明品にも広く、応用される「万有爆力の法則」を報じる、原理、理論の範疇にある、太陽光とは、電磁（粒子）線をする、電磁波とする時、これは、二分類に大別
2015154910.tif 000009
（電解質溶液）は、太陽光（電気）に照射されると、酸素と水素に電気分解され、大気中に放出されている事が発見される時、太陽光（暖）は闇（冷）に進路をとる性質があり、太陽光スペクトルの内、「赤外線」、「紫外線」をする、特に中性子（ニュートロン）の透過力が強い為、通気性の良い所では、即時に侵透してゆき、そこに水分が在る場合には、水分を瞬時にして、酸素と水素に電気分解させてしまうものとなる時、太陽光スペクトルの透過路にある、水分は、（時間、空間必要）蒸発し、無くなる、乾燥時には、（徴熱と水分を必要とする）あらゆる所に取り付く細菌は、胞子を残して、死滅する事が、科学的に理解される際、筆者の旧式（特願２０１２−１６０００３号）発明品、原文の特許請求の範囲、明細書、図面、要約書に観られる様に、１０．本願発明品とは、直接関係無く、副因図となる、「ブラシ格納ポケット付、くの字型折れ曲り式歯ブラシ」（Ｔ．６５１）を示す図となったが、１１．ブラシ格納ポケットを通気性の無い、（プラスチックの密閉型）  １２．若しくは、（プラスチックの袋状型）で造り、１３．水分の付いたブラシをこの内に格納すると、ブラシに付いた水分は、蒸発する場を失い、中で徴熱が発生する儘に、１４  ブラシの底にこびりついた歯磨粉垢の中に付着する、歯周病原菌の孵化させる温床となる事が分り、（特に腐敗菌）を警戒する）筆者の発明される、（特願２０１２−１６０００３号）段回で、この発明品等は、製作、製造する事が中止（禁止）される他、１５．歯ブラシは、人の口内に出し入れする為、食品衛生法では、「食品扱い」となり、１６．本願発明品とは、直接関係はなく、旧式発明品の「副因図」となる。「くの字式折れ曲り歯磨きチューブ入れポケット付歯ブラシ」（Ｔ．６５２）を示す図となったが、先に示された、筆者の旧式発明品、「ブラシ格納ポケット付くの字型折れ曲り式歯ブラシ」（Ｔ．６５１）と伴に、これを口に喰えた儘、幼児（お年寄）等が誤って、前のめりに転倒し、ファジーショックが之れに加わった際、「くの字型」に急速に折れ曲がる事の出来るセンサー（Ｔ．６５６号式歯ブラシ安全センサー）の付いてはいない（旧）型式の「くの字型歯ブラシ」を示した図となり、１７．更に旧式の発明品となり、本発明品とは、直接関係は無いが、副因図として示される。歯磨きをする際には、必ず水を必要とする、歯ブラシの背部をして、「くの字式歯磨チューブ入れポケット付歯ブラシ」（Ｔ．６５２）図に見られる様な、ポケットを歯ブラシ本体に取り付けると、「ポケット」は重くなる他、ポケット内部は、埃りが着き（湿潤し易く、）水捌けが悪く、この内側等では、細菌等の発生原因となる事が発見（発明）されたので、之の発明品は、製作段回で中止された事が示された図。１８．歯磨（粉）チューブを表わす図。筆者は、身長１７３ｃｍで、体重は、６０ｋｇであった。体重が６０ｋｇの人は、平均して、６０ｋｇ分だけの荷を持つ事が出来る例えを得る際、アインシュタインの相対性理論（及び、万有爆力の法則）を応用するＥ２＝ｎ⇒Ｘ＋Ｙ＝Ｚの公式を得て、Ｅは、エネルギー、若しくはエレメント、（要素）を表わし、ｎは無限数、⇒は即ち、をする。Ｘは、時間、Ｙは、距離、Ｚは、形態を表わし、��は、高さ。秒は、ｓｅｃで示された時、６０ｋｇの体重の人が、６０ｋｇのバーベルを１７３ｃｍの高さ迄、１．７３秒間、持ち上げた場合、６０ｋｇＸ１．７３ｓｅｃ＋６０ｋｇＹ１．７３ｈ＝１２０ｋｇＺｈ／ｓｅｃ⇒Ｘ６０（１．７３）＋Ｙ６０（１．７３）＝Ｚ１２０（３．４６）となる、四次元計算式が発明される時の定理は、力学上、外力（仕事、ベクトル）効果が、発生する所には、必ず、同力となり、内力（仕事、ベクトル）が反対勢力となって、力学的に、発生するものとなる時、証明〈証拠〉は、玩具の「ヨーヨー」を一定の時間にある、一定の速度と、一定の重さを糸につけ、空中に飛ばした際には元の位置に戻って来る事をして、四次元計算式の内容を、もっと分り易く言うと、６０ｋｇのバーベルを１７３ｃｍ持ち上げた人の足の裏には地面の地下、１７３ｃｍ迄の深さに及ぶ、６０ｋｇの力で之れ（圧迫力）を押し返えそうとする、反作力が相対的に働らく事を言っており、６０ｋｇの体重の人が、６０ｋｇのバーベルを持ち上げる際には、その人の持つ筋力には、均等して、６０ｋｇの反作力が掛かるものとなる際、（但し、体重は無視）その人が、歯を噛み締める、顎（口）の筋力には、６０ｋｇの内的力として、瞬発力が掛かっている事は、圧力計を持つマウスピースを噛み締める事で実験出来た。――読者は、人間成人の頭部（首）の平均重量を知っていたであろうか！――それは、大体５ｋｇ位のものであり、洗面器に水を一杯入れた重さに相当し、６０ｋｇの体重を持つ人の１／１２ｋｇの体重となるものであったが、２０ｋｇ〜３０ｋｇの体重の幼児童の頭部の重さが、約２ｋｇのものである。とした際、この幼児童の頭部を除く、体格（体重）は、いかに華奢であるかが分る際、この幼児童が、歩行時に伴い、７ｇの歯ブラシを口に喰えただけで、７ｇの歯ブラシの重量の他に、（４次元効果に働らく）内的力量（反作用力）７ｇに働く、幼児の之れを噛み締める、顎筋力が外力に表われ、（これを瞬発力という。）幼児童の歩行する、前方行には７ｇ＋７ｇ＝１４ｇの力学的力量が発生するものとなる為、幼児童等が、歯ブラシを加えた儘、歩行すると前のめりに誤って、倒れ易くなる、立証論説になる、因果関係が理解される際、筆者の旧式発明（２０１２−１６０００３号）品、くの字式歯磨きチューブ付歯ブラシ（Ｔ．６５４号）に見られる様な（固定）物を製造した場合、大人でもそうであるが、歯ブラシ（１０ｇ）＋歯ブラシを加える顎筋力（四次元加重１０ｇ）＋歯磨粉チューブ（１０ｇ）＝３０ｇの物を人の頭部（５ｋｇ）に対して、喰えさせ、歩行させた場合には、（人は、）歩行バランスを崩し易いである事が想定された。
尚、同応用力学説から、相対性理論（万有爆力の法則）をして、四次元に働らく、「重加速度」計算式が立証されるものとなった。
それは計測器で、筆者の体重は６０ｋｇで計測される。この計測器の上に２Ｍ上空から、飛び降りた際（の衝撃力）には、１２０ｋｇの加重が計測される、公式はＥ２＝ｎ⇒６０（２）ｋｇ／ｓｅｃＸ＋６０（２）ｋｇ／ｈＹ＝１２０（２）ｋｇ／ｓｅｃＺ⇒１２０ｋｇとなり、更なる応用力学が説明される、６０ｋｇの体重を持つ筆者が、３Ｍ上空から、同じ計測器に飛び降りた際に計測される公式は、Ｅ２＝ｎ、⇒６０（３）ｋｇ／ｓｅｃＸ＋６０（３）ｋｇ／ｈＹ＝１８０（３）ｋｇ／ｓｅｃ⇒１８０ｋｇの加重が掛かる所となり、４Ｍ上空から飛び降りた際（の衝撃力）にはＥ２＝ｎ⇒６０（４）ｋｇ／ｓｅｃＸ＋６０（４）ｋｇ／ｈＹ＝２４０（４）ｋｇ／ｓｅｃ⇒２４０ｋｇ／ｓｅｃＺにして、瞬時にして、万有引力間、（Ｎ、ニュートン）に働らく、重加速度計算が、記号を（Ｍ、マコ）として本論文説で、発見された。「重加速度」とは、衝撃力（瞬発力）若しくは、破壊力とも呼ばれる、定義を、「質量１ｋｇの物体をして、１メートルづつに、毎秒、毎秒、重加力度を生じさせる力の事であり、質量を持った全ての物体間に作用する力となり、物体の質量の積に比例し、距離の２乗に反比例する力となる、四次元計算式として、本件論文説で報告された。１９．（Ｔ．６５５号式安全歯ブラシ）をして、この発明される、歯ブラシを幼児（若しくは、お年寄り等）が、口に喰えた儘、歩行しており、誤って、前のめりに倒れる事があったりする（有時）事件、事故が発生したりする際、瞬時に之れを中心から二分等に「くの字形」に折れ曲がっ
2015154910.tif 000010
目的）を持たせ、発明されて（網状）で出来た「くの字式ブラシ収納網型ポケット」（Ｔ．６６１号式ブラシ収納ポケット）が発明された図を表わし、２０．歯磨きをする時には、必ず水を使って洗浄する物となる際、歯ブラシのいたる所には埃が付きづらく、通気性が良い様に設計される必要がある事を⇒印で示す、通気性を表わす記号となった。２１．本発明、「歯磨チューブ収納器付パッチン取り付け外し自在綱目型ポケット」以後（Ｔ．６６０号式チューブ入れ容器）と呼ばれる、凹凸の部立を示す図であったが、２２．歯磨きをする時には、必ず水を使って洗浄する際、図の様に、之のポケットを網目型にして造ると、水捌けが良くなり、歯ブラシチューブに付く水分は、（即時的に）すぐに、酸素と水素に分解し、蒸発するものとなる為、之に取り付く黴菌の孵化がしにくくなる事が示され、２３．これら発明される歯ブラシを購入する場合、一つの物でありながら、三つのパーツ（部品）に分解する事が出来、一つ一つの部品の物とされる  ２４．（Ｔ．６５５号式安全ブラシ）を袋に入れ、封入したパーツを示し、２５．（Ｔ．６６０号式チューブ入れ容器）を袋に入れ、封入したパーツを示し、２６．（歯磨チューブ）を袋に入れ、封入したパーツが図に示されており、２７．この様にして、本発明される、歯ブラシを購入して来た消費者が、これを（家庭用）洗面所で使用しようと思われる際に、（Ｔ．６６０号式チューブ入れポケットが邪馬となり、無い方が良く、スッキリとしたスリムな格好で歯ブラシを使用したい。と思われる時、パッチンと音を立てて、２８．歯ブラシ本体から、２９．（Ｔ．６６１号ブラシポケットや歯磨チューブ）を、取り付け外しが出来る事を示しているが、３０．本発明される、歯ブラシ本体に（Ｔ．６６１号ブラシポケットや歯磨チューブ）をくっつけて、ポケット、バッグに入れ、旅行、出張、出社、登校他をする、（家庭用）洗面所以外の場所へ、之を携帯したいと思われる時、「パッチン！」と音を立てて、結合させる事が出来る事を示した図となった。３１．二段スライド式瞬間突き刺さり防止綱目ブラシ収納器付安全歯ブラシ（Ｔ．６６２号式安全歯ブラシ）の全容を表わす図となり、３２．三段スライド式瞬間突き刺さり防止綱目ブラシ、チューブ収納器付安全歯ブラシ（Ｔ．６６３号式安全歯ブラシ）の全容を表わす図となった。３３．（Ｔ．６６２号式安全歯ブラシ）をスライド式に引っ張り出し、この歯ブラシを全長１８ｃｍ位の長さで造り、歯磨きに使用すべき時、直線にする、完全に引き延ばした立体図の全体を示す図となるが、３４．本願発明、（Ｔ．６６２号式安全歯ブラシ）他、（Ｔ．６６３号式安全歯ブラシ）を幼児童（お年寄）等が、之れを口に喰えた儘、誤って前のめりに倒倒し、ファジーショックが、このスライド式申縮自在歯ブラシの節目、節目に設計されて、（設定されている）スライド式瞬間突き刺さり防止センサー（Ｔ．６５７号式歯ブラシ安全センサー、並びに、Ｔ．６５８号式歯ブラシ安全センサー）に余分な力として、之に加わった際、３５．瞬時にして、１／２、若しくは、１／３に急速に縮少する儘に、幼児童（若しくは、お年寄り）等の喉に歯ブラシが突き刺さる危険を未然に回避出来る歯ブラシとなった図を示���、３６．現在、全長１８ｃｍ位で統一されて作られている、歯ブラシをして、歯磨きし易い様に、歯ブラシを口内に入れた際、「入れ歯歯磨き」に見られる様に、人の口内を作る歯並びが、上顎、下顎共に、Ｕ字型に湾曲している形に対して、フィットし易い様に、歯ブラシ、その物を直線形式で作るのではなく、歪曲させて造られると、歯磨きが効果的に出来る発明が成された図を示しており、３７．幼児等がこの歯ブラシを使用している際、誤って前のめりに倒れる時、歯ブラシの歪曲部にファジーショックが感じられる際、（この）歯ブラシは、幼児等の喉に突き刺さる（事故が発生する）前に急速に「くの字形」に折り畳みを開始する、３８．センサ機能を付け、３９．歯ブラシを折り曲げ切った反対方向の尻部にブラシをパッチン式で取り付外し出来、ブラシ部分を格納出来る網状形の（Ｔ．６５７号式ブラシ収納ポケット）  ４０．更にブラシ格納ポケットの反対側の背に、やはり通気性を良くした、「パッチン型留器具」（Ｔ．６６５号凹凸型留器具）を取り付けて、歯磨チューブを自在に出し入れ出来る、チューブ入れポケットを組み込む構造の「歪曲形くの字式瞬間突き刺さり防止、網目型ブラシ収納付安全歯ブラシ」（Ｔ．６６４号式安全歯ブラシ）を表わす図を示しており、４１．入れ歯を表わす図。４２．歯ブラシを歪曲形に造ると、歯磨きが効率良く出来る事を示す図となった。４３．くの字式折り畳み式瞬間突き刺さり防止鏡付歯ブラシ（Ｔ．６６５号式歯ブラシ）の全長の引き延ばし図を示した図を示し、４４．歯ブラシの柄の反対側に、歯医者さんが使うのと同じ鏡を付けた図となった。４５．湾曲形くの字式瞬間突き刺さり防止歯垢取り鉤爪付歯ブラシ（Ｔ．６６６号式歯ブラシ）を示した図であるが、４５．歯ブラシの柄の反対側に、歯医者さんが使うのと同じ、硬質のプラスチック（金属で作ってはいけない。）で作った歯垢取り鉤爪が取り付けられている事を示す図となったが、４６．使用時には、引き出して、使用し、４７．不必時には、指で中に押し込んで短縮する事が図に示されている。４８．歯垢取り鉤爪収納ポケットを表わす図。４９．（Ｔ．６６３号式安全歯ブラシ）を袋に入れ、封入したパーツを示し、５０．（Ｔ．６６０号式チューブ入れ容器）を袋に入れ封入したパーツを示し、５１．歯磨チューブを袋に入れ、封入したパーツが示される図。５２．（Ｔ．６６１号式ブラシ収納ポケットを袋に入れ封入したパーツが示される図。５３．スライド歯ブラシパッチン取り付け外し自在型網形ブラシ収納ポケット（Ｔ．６６１号式ブラシ収納ポケット）を表わす図であり、５４．（Ｔ．６６１号式ブラシ収納ポケット）をして、この歯ブラシを購入して来た消費者が、これを（家庭内）洗面所で使用しようと思われる際に、これを無くして、スッキリとしたスリムな格好で歯ブラシを使用したい。と思われる時、パッチンと音を立てて、５５．歯ブラシ本体から  ５６．（Ｔ．６６１号式ブラシポケット）は、取り付け外しが、出来る事を示している。５７．通気性がある事と、ファジーセンサーが働らき易い様に、６６２号式安全ブラシと、６６３号式安全ブラシの一段目は、円筒形に造り、５８．二段目は、多角形の筒状にして、スライド式申縮自在歯ブラシが造られている事が示される図。５９．歯垢取り鉤爪収納ポケット。６０．本願発明品とは、直接関係の無い、本願発明品の前身の（特願２０１２−１６０００３号）発明中に登場する、副因図、「使い捨て弦揚子付歯ブラシ」（Ｔ．６５１）他、６１．同、本願発明図とは直接関係の無い、「使い捨てコンパクト歯ブラシ（Ｔ．６５３）、６２．同本願発明図とは、直接関係の無い、「スライド式歯磨きチューブ付歯ブラシ」（Ｔ．６５３）、６３．同本願発明品とは、直接関係の無い、「くの字式歯磨きチューブ付歯ブラシ（Ｔ．６５４）を示す図となった。６４．「歪曲形くの字式瞬間突き刺さり防止（鏡）歯垢取り鉤爪付歯ブラシ」（Ｔ．６６６号式歯ブラシ）  ６５．オスパッチンを表わし、６６．メスパッチンを表わす図。６７．太陽の表面の副因図。６８．太陽の一部力学例が示される、２４００ＫＭ迄到達する爆力（フレアー）を表わすベクトル（陽力）が生じた時、６９．その陽力を押し返えそうとする２４００ＫＭ分だけの爆力（フレアー）の重力を支えて、押し返えそうとする時、その正反対方向に、２４００ＫＭ分の井戸を掘った様に深い穴（陰力）がインボリューム状態（形態）となり、太陽の中心に向って、開く時、地球上から望遠鏡で、覗く際、黒い穴（若しくは、黒点）に見える時、７０．之がブラックホールの正体となるが、本願発明品とは、直接関係が無く、副因図となった。７１．太陽の一部力学例が示される、爆力（フレアー）の簡略図であるが、本発明品とは、直接関係は無く、副因図となった。７２．Ｔ．６５７号式ブラシ収納ポケットの後側から観た背面図の発明図。７３．「くの字式義し込み取り付け外し自在型、網目ブラシ収納ポケット（Ｔ．６６７号式ブラシ収納ポケット）が発明された図が示され、７４．オス型ブラシ収納ポケット差し込み凸部を表わし、７５．メス型ブラシ収納ポケット差し込み受け凹部が発明された図が表わされる。７６．（Ｔ．６６１号式ブラシポケット）や、（Ｔ．６６０号式チューブ入れ容器は、取り外して、歯ブラシで洗う事の出来る発明品となった。７７．巷に、万有爆力（フレアー、衝撃力）の法則で、四次元界に働く、内的質量（反重力）は、星（若しくは、宇宙）の中心部に向って生じる、力学ベクトルの形状は、圧縮（バネ、若しくは、インボリューム）ベクトルとなる事が発見され、五次元へと繋がるものになってゆくが、立証実験は、星の上でコマを回すと、星（若しくは宇宙の）中心に向って立ち上がる。７８．近年発明されて、販売される、液状歯磨溶液入れ容器に対して、上にスライドさせて取り付け外しが出来る、７９．（Ｔ．６７０号）式、連結凹器（能）物を之れに付け、８０．下にスライドさせて取り付ける事が出来る、８１．「スライド式瞬間突き刺さり防止センサー付防止センサー付歯ブラシ」（Ｔ．６５８）の内側に、８２．凸器（能）物を付ける他、８３．「パッチン」と音を立てる様にして、ワンタッチで取り付け外しが出来る凹凸器（能）機を之れらに付加させる事が出来る発明が成された図が示されたが、（この方式で、凹凸器（能）機を歯磨道具に付加させた場合、バッグやリュックに入れて携帯した際に、すぐにバラバラに分解して、紛失し易い欠点が生じた。）  ８４．凹器（能）物付加補強帯を示す��であり、８５．この様に、「Ｔ．６５８号式歯ブラシ」の使用時には、８６．液状歯磨液入れ容器側に具備されている凹器（能）物から、８７．「Ｔ．６５８号式歯ブラシ」を取り付け外しで使用出来る他、８８．「液状歯磨溶液」を容器から流出させ、口の中のウガイを済ませた後、歯を磨くに為する、（現在）普通に市販されている、ティッシュペーパーを、８９．本発明される、「液状歯磨液入れ容器取り付け、網型ティッシュペーパー入れポケット」（Ｔ．６６９）に入れて、歯磨き道具の一員とし、（注、ポケットティッシュは、戦場での止血、消毒用に開発、発明された。）構成させ、９０．歯磨きをする時には、凹凸器（能）機を用いて、９１．液状歯磨き溶液入れ容器と、９２．（Ｔ．６５８号）式歯ブラシとを、９３．別離させた後、９４．後更に発明される、この容器の蓋となる部分に連結させて造られる、（Ｔ．６５８号）式歯ブラシのブラシ部分を、携帯時に収納できる、「蓋網型ブラシ収納ポケット」（Ｔ．６６８）と呼ばれる、蓋状のブラシポケットが発明され、９５．携帯時、結合させている、（Ｔ．６５８号）式歯ブラシを別離させた後、９６．この発明される、（Ｔ．６７１号）式、ポケット蓋を左りに廻わすと、「液状歯磨き溶液入れ容器」の蓋部分を取り外す事が出来る図となり、９７．蓋を右に廻わすと、「液状歯磨き溶液入れ容器」の蓋部分を取り付け、９８．そこに、歯ブラシを嵌め込み、セットできた。
【フリーテキスト】
細菌とは、細菌（類）の生活圏は、栄養のある湿潤する、それぞれの適温環境地帯で、（猛）繁殖するものとなったが、乾燥に遭うと、脆く、（長命力を持つ）胞子を残こし、死滅し、再び、同所が湿潤して来ると、胞子を孵化させ、倍増する勢いで増え続ける性質さが説明され、
本願発明、論文中では、アインシュタインの「相対性理論説」や「ニュートンの万有引力の法則理論力学説」等に基づいて、発生する、「衝撃力」、「万有爆力（フレアー）の法則」をして、四次元界に発生する、四次元（反重力、圧力を押し返す）力学の定理、（定義）公式、Ｅ２＝ｎ⇒Ｘ＋Ｙ＝Ｚで証明される事が発見され、之れらの力は、太陽の黒点を含む、ブラックホールになる事が新代科学で発見され、
又、地球上に発生する、酸素（と水素）は、地球上の草木で造られる物では無く、水（海水）が太陽（電磁線）に照射されると、電気分解され、酸素を空気中の割合、２１％に確立される事が発見される事と共に、相対性力学上、陽力（直線）ベクトルの反作用となり、陰力（インボリューム）に発生する、速度は、自動車、タコメーターに着いている、出力計、約１１００ＫＭ／Ｈであり、コマは、この回転速度で立ち上がる（正確実施数値データーは、火事で焼失、読者で、計側しなおしていただきたい。）事が発見され、この性格的（変換）質量（力学的実力）が加わる時、地球上にある、あらゆる静止物に動力が与えられる事が発見された。
【図１】
2015154910.tif 000011
【図２】
2015154910.tif 000012
【図３】
2015154910.tif 000013
【図４】
2015154910.tif 000014
【図５】
2015154910.tif 000015
【手続補正書】
【提出日】平成26年9月8日(2014.9.8)
【手続補正１】
【補正対象書類名】明細書
【補正対象項目名】０００１
【補正方法】変更
【補正の内容】
【０００１】  現在、平均して、１８ｃｍ位で造られ続けている、本発明歯ブラシを幼児童（や  お年寄り）等が、口に喰えた儘、歩行しており、誤って前のめりに転倒する事があった場合や、その様に急激であり、必要以上の加重が口内に発生する際、本願発明（特願２０１４−３３４０３号）にて疎明される、これら、（今のプラスチック緻密加工技術では充分出来る。）歯ブラシの節々に取り付けられている、ファジーショックセンサーが作動する様にして作られており、急速に縮少を開始する、喉への突き刺さりの危険を防止する事の出来る物となったが、この様に、反射して、申縮する事が出来た、本発明品、歯ブラシは、歯磨き使用時には、約１８ｃｍ位で使用するが、歯磨きの使用時以外には、その機能を持ち合わせる儘に、半分の９ｃｍや６ｃｍ位迄の大きさに、「くの字」若しくは、「スライド式」に縮少させる時、服のポケットや、カバン、バッグにも楽々入り、歯磨チューブも、本発明される、網状          ポケットに之れをくっつけて、同時携帯させる事が出来る際、ガサ張らず、便利となり、歯ブラシに付く、水分をすぐに蒸発させる事、旧式発明（２０１２−１６０００３号）歯ブラシ本体や、ブラシ部分に（取り）付く、水分を、すぐに蒸発させる、中蒸れ現象を回避させ、歯ブラシに取り付く黴菌の繁殖を抑止する効果を持つものとなる他、本発明歯ブラシは、パーツに分解出来て、販売できた。（細菌感染防止に関する、詳細文、２０１４−１４０８９５号の技術文献も参考されたし。）
【手続補正２】
【補正対象書類名】明細書
【補正対象項目名】００１５
【補正方法】変更
【補正の内容】
【００１５】  それ故、本願発明、歯ブラシ本体に取り付けて合体（携帯）を便利にする、歯ブラシに付随して、不属する歯ブラシポケットの全ては「細菌学」を考慮して、全て網目状にして作った場合には、乾燥がスムーズとなり、歯磨きをする、場所を必要、不要を選んで、歯ブラシ本体に、「歯ブラシポケット」や、「歯磨チューブ入れポケット」を「パッチン式」の取り付け外しが自在となり、
【手続補正３】
【補正対象書類名】明細書
【補正対象項目名】００２２
【補正方法】変更
【補正の内容】
【００２２】  本願発明品の前身であり、本発明、駄作失敗作品となり、前例（２０１２−１６０００３号）発明品となる、図面例の多くが、前半分、図面にて示される、「くの字式歯磨きチューブ付歯ブラシ」（Ｔ．６５４号式歯ブラシ）をして、
―――本願発明品とは、直接関係の無い、副因図に示した物であったが、これらの歯ブラシをこの図面の通りにして、作ると、「歯ブラシ」は、常に乾燥させておかなければならぬものであり併も、水を使い歯磨きする、ブラシに対して、密閉式となり、取り外しが出来ずに埃や水分の溜り易い蓋やポケットを之れに取り付けて使用した場合には、一定の湿潤と、一定の温度がブラシに取り付けられたポケット内に溜る際には、細菌発生の温床になる物となり、歯ブラシをやたら重くし、不格好ともなる失敗作であったが、参考図となるので、本図４で、その欠点が示される物として、展示し、これに際して、新規と進歩性を附加させるべく、本願（特願２０１４−３３４０３）をして、
【手続補正４】
【補正対象書類名】明細書
【補正対象項目名】００２３
【補正方法】変更
【補正の内容】
【００２３】  本願発明品の前身であり、本発明、駄作失敗作品となり、前例（２０１２−１６０００３号）発明品となる、図面例の多くが示される、「使い捨てコンパクト歯ブラシ」（Ｔ．６５２号式歯ブラシ）「使い捨てコンパクト歯ブラシ」（Ｔ．６５２号式歯ブラシ）「スラド式歯磨きチューブ付歯ブラシ」（Ｔ．６５３号式歯ブラシ）「くの字式歯磨きチューブ付歯ブラシ」（Ｔ．６５４号式歯ブラシ）等は、―――本願発明品とは、直接関係の無い、副因図を示した物となる物であったが、これらの歯ブラシをこの図面の通りにして作ると、「歯ブラシは、常に乾燥させておかなければならぬ物であり併も、水を使い歯磨きするブラシに対して、密閉式となり、取り外しが出来ずに、埃や水分の溜り易い蓋やポケットを之れに取り着けて使用した場合には、一定の湿潤と、一定の温度がブラシに取り付けられたポケット内に溜る際には、細菌発生の温床になる物となり、歯ブラシを  やたら重くし、不格好ともなる失敗作であったが、参考図となるので、本図３で、＿＿＿それらの欠点が示される物として、展示し、これに際して、新規と進歩性を附加させるべく、本願（特願２０１４−３３４０３）をして、（Ｔ．６５９号式ブラシ、チューブポケット付安全歯ブラシ）も、図３図面に掲載された。
【手続補正５】
【補正対象書類名】明細書
【補正対象項目名】フリーテキスト
【補正方法】変更
【補正の内容】
【フリーテキスト】
細菌とは、細菌（類）の生活圏は、栄養のある、湿潤する、それぞれの適温環境地帯で、（猛）繁殖するものとなったが、乾燥に遭うと、脆く（長命力を持つ）胞子を残こし、死滅し、再び、同所が湿潤してくると、胞子を孵化させ、倍増する勢いで、増え続ける性質が、（＊注、厳重注意書き、）説明され、本願発明、論文中では、アインシュタインの「相対性理論説」や、「ニュートンの万有引力の法則理論力学説」等に基づいて発生する、「衝撃力」、「万有爆力（フレアー）の法則」をして、四次元界に発
2015154910.tif 000016
之れらの力は、大陽の黒点を含む、ブラックホールになる事が新代科学で発見され、又、地球上に発生する、酸素（と水素）は、地球上の草木で造られる物では無く、水（海水）が太陽（電磁線）に照射されると、電気分解され、酸素を空気中の割合、２１％に確立される事が発見される事と共に、相対性力学上、陽力（直線）ベクトルの反作用となり、陰力（インボリューム）に発生する、速度は、自動車、タコメーターに着いている、出力計、約１１００ＫＭ／Ｈであり、立証実験は、コマは、この回転速度で、（星の中心、若しくは、宇宙の中心に向って、）立ち上がる（正確実施数値データーは、火事で焼失、読者で計速しなおしていただきたい。）事が発見され、この性格的（変換）質量（力学的実力）が加わる時、地球上にある静止
2015154910.tif 000017
宇宙の中心にあって、）持つ、「重力」の持つ正体となる事が発見された。